(57)【要約】【課題】バネ手段をケースに装着した際のバネ変形を抑えてバネ圧安定化を図った記録テープカートリッジを提供することを課題とする。【解決手段】記録テープカートリッジ１０は、リール２０に巻かれた記録テープＴの端部に取付けられたリーダーピン３０と、リーダーピン３０を付勢することによりリーダーピン３０に引出抵抗を付与するバネユニット３８と、を備えている。バネユニット３８は、板バネ１０４と、板バネ１０４の上下両端部にそれぞれ設けられた上支持部材１１２及び下支持部材１１４と、を備えている。上支持部材１１２及び下支持部材１１４は剛性部材であり変形し難い。ケース１２の内壁には、上支持部材１１２及び下支持部材１１４をそれぞれ保持する上保持部３７Ｕ及び下保持部３７Ｌが形成されている。【選択図】図２
2009245526.tif 000002
【特許請求の範囲】
【請求項１】
記録テープが巻装された単一のリールを回転可能に収容するケースと、
前記記録テープの端部に取付けられ、ドライブ装置の引出手段によって引き出されるリーダー部材と、
前記リーダー部材を付勢することにより前記リーダー部材に引出抵抗を付与するバネ手段と、
を備え、
前記ケースの内壁に形成された保持部に前記バネ手段が保持される記録テープカートリッジであって、
前記バネ手段が、前記リーダー部材に当接するバネ部材と、前記バネ部材を支えるとともに前記保持部に保持される支持部材と、を有することを特徴とする記録テープカートリッジ。
【請求項２】
前記バネ部材が、本体部と、前記本体部から延び出し前記リーダー部材におけるテープ幅方向の両端部を付勢する一対のアーム状の作用部と、で構成される板バネであることを特徴とする記録テープカートリッジ。
【請求項３】
前記支持部材が前記板バネにインサート成形されていることを特徴とする請求項２に記載の記録テープカートリッジ。
【請求項４】
前記支持部材と前記板バネとが圧入により相互に固定されていることを特徴とする請求項２に記載の記録テープカートリッジ。
【発明の詳細な説明】
【技術分野】
【０００１】
本発明は、記録テープが巻装された単一のリールをケース内に回転可能に収容した記録テープカートリッジに関する。
【背景技術】
【０００２】
従来から、コンピューター等のデータ記録再生媒体として使用されている記録テープ（磁気テープ）を単一のリールに巻装し、そのリールをケース内に収容してなる記録テープカートリッジ（磁気テープカートリッジ）が知られている。この記録テープの先端には、リーダーブロックやリーダーピン、リーダーテープといったリーダー部材が設けられており、そのリーダー部材をドライブ装置側に設けられた引出手段が記録テープカートリッジから引き出し、それに固着された記録テープをドライブ装置側の巻取リールに巻装させるようになっている。
【０００３】
また、このような記録テープカートリッジには、リーダー部材を記録テープカートリッジ内に収容した状態を維持するとともに上記の引き出しを容易に行えるように、リーダー部材を収容位置に向けて付勢するバネ部材が設けられている（例えば特許文献１参照）。
【特許文献１】特開２００６−１８８８５号公報
【発明の開示】
【発明が解決しようとする課題】
【０００４】
ところで、このバネ部材は、リーダー部材におけるテープ幅方向の両端部を付勢する一対のアーム状の作用部を有する板バネで構成されることが多く、通常、ケースに形成された被装着部に差し込まれて装着される。このため、例えば上下ケースの微小な変形によってバネ部材のバネ変形が生じた場合、バネ圧を安定させ難いという問題があった。
本発明は、上記事実を考慮して、バネ手段をケースに装着した際のバネ変形を抑えてバネ圧安定化を図った記録テープカートリッジを提供することを課題とする。
【課題を解決するための手段】
【０００５】
請求項１に記載の発明は、記録テープが巻装された単一のリールを回転可能に収容するケースと、前記記録テープの端部に取付けられ、ドライブ装置の引出手段によって引き出されるリーダー部材と、前記リーダー部材を付勢することにより前記リーダー部材に引出抵抗を付与するバネ手段と、を備え、前記ケースの内壁に形成された保持部に前記バネ手段が保持される記録テープカートリッジであって、前記バネ手段が、前記リーダー部材に当接するバネ部材と、前記バネ部材を支えるとともに前記保持部に保持される支持部材と、を有することを特徴とする。
【０００６】
リーダー部材は、例えばリーダーピンであるが、リーダーブロック等の他の部材とすることも可能である。
請求項１に記載の発明では、上記のバネ部材が支持部材によって支えられ、この支持部材がケースの保持部に保持される。従って、上下ケースの微小な変形が生じていても支持部材の変形を抑えた構成にすることができる。よって、ケースへの装着によるバネ部材の変形が防止され、バネ圧を安定させることができる。
【０００７】
請求項２に記載の発明は、前記バネ部材が、本体部と、前記本体部から延び出し前記リーダー部材におけるテープ幅方向の両端部を付勢する一対のアーム状の作用部と、で構成される板バネであることを特徴とする。
【０００８】
請求項２に記載の発明では、上記の一対のアーム状の作用部を板バネが有しており、いわゆる一体型のバネ手段を設けている。
【０００９】
請求項３に記載の発明は、前記支持部材が前記板バネにインサート成形されていることを特徴とする。
請求項３に記載の発明では、板バネに支持部材がインサート成形により固着されている。
【００１０】
請求項４に記載の発明は、前記支持部材と前記板バネとが圧入により相互に固定されていることを特徴とする。
請求項４に記載の発明では、支持部材と板バネとをそれぞれ個別に製造して相互に固定させることができる。
【発明の効果】
【００１１】
本発明によれば、バネ手段をケースに装着した際のバネ変形を抑えてバネ圧安定化を図った記録テープカートリッジとすることができる。
【発明を実施するための最良の形態】
【００１２】
以下、実施形態を挙げ、本発明の実施の形態について詳細に説明する。なお、第２実施形態以下では、既に説明した構成要素と同様のものには同じ符号を付して、その説明を省略する。
【００１３】
［第１実施形態］
まず、第１実施形態について説明する。なお、説明の便宜上、図１において、本実施形態で説明する記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。まず最初に、記録テープカートリッジ１０について説明する。
【００１４】
（記録テープカートリッジの全体構成）
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やビス止め等によって接合されて構成されている。
【００１５】
すなわち、例えば上ケース１４及び下ケース１６にはビスボス１５がそれぞれ各コーナー部近傍に形成されており、下ケース１６の下面側から、そのビスボス１５に図示しないビスが螺合されることにより、ケース１２が組み立てられるようになっている。そして、ケース１２の内部には、リール２０が１つだけ回転可能に収容されている。
【００１６】
このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１７】
また、リールハブ２２の底壁（底部）２８の下面（外面）には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされる。
【００１８】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００１９】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００２０】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４Ｌ、３４Ｕは、その開放側からピン保持部３６内に出入可能とされている。
【００２１】
また、ピン保持部３６の近傍には、バネユニット３８が固定配置されるようになっており、このバネユニット３８を構成する２本の作用部１０８Ｌ、１０８Ｕの先端部がリーダーピン３０の上下両端部３４Ｌ、３４Ｕにそれぞれ係合してリーダーピン３０をピン保持部３６に保持する（すなわち引出抵抗を付与する）ようになっている。なお、リーダーピン３０がピン保持部３６に出入する際には、作用部１０８Ｌ、１０８Ｕは適宜弾性変形してリーダーピン３０の移動を許容する構成である。
【００２２】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２３】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２４】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２５】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００２６】
また、図２、図３で示すように、ケース１２の左後部には、記録テープＴへの記録可・不可が設定されるライトプロテクト７０が左右方向にスライド可能に設けられており、ケース１２の後壁１２Ｄには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００２７】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の下面から突出することはない。また、図２で示すように、ケース１２の右後部には、記録容量、記録形式等の各種情報が記憶されたメモリーボードＭが所定の傾斜角度で配置されるようになっている。
【００２８】
また、図２、図３で示すように、リールハブ２２の底壁２８の上面周縁には、係合ギア４８が所定の間隙を隔てて（等間隔に）複数（例えば１２０度間隔で３個）立設されており、その係合ギア４８の間で、リールギア４４上となる所定位置には、貫通孔２８Ａが複数（この場合は１２０度間隔で３個）穿設されている。そして、そのリールハブ２２の内部には、樹脂材で成形された円板状の制動部材８０が挿設される。
【００２９】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００３０】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００３１】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００３２】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００３３】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。なお、制動部材８０の材質としては、例えばポリアセタール（ＰＯＭ）が用いられ、解除部材９０の材質としては、例えばポリブチレンテレフタレート（ＰＢＴ）が用いられる。
【００３４】
（バネユニット及びその保持構造）
次に、バネユニット３８及びバネユニット３８の保持構造について詳細に説明する。バネユニット３８は、リーダーピン３０を付勢することによりリーダーピン３０に引出抵抗を付与する部材として設けられている。
【００３５】
図４〜図６に示すように、このバネユニット３８は、金属製（例えばステンレス鋼製）の板バネ１０４と、板バネ１０４の上下両端部をそれぞれ支える上支持部材１１２、下支持部材１１４と、で構成される。上ケース１４の内壁側には上支持部材１１２を保持する上保持部３７Ｕ（図２、図３参照）が形成され、下ケース１６の内壁側にも下支持部材１１４を保持する下保持部３７Ｌ（図２、図３参照）が形成されている。上支持部材１１２と下支持部材１１４、及び、上保持部３７Ｕと下保持部３７Ｌは、何れも面対象の同形状とされているので、以下の説明では下保持部３７Ｌ、及びそれに保持される下支持部材１１４について詳細に説明し、上保持部３７Ｕ、及びそれに保持される上支持部材１１２の説明を基本的に省略する。
【００３６】
また、板バネ１０４は、本体部１０６と、本体部１０６の上下両端部から開口１８に向かって本体部１０６と一体的にそれぞれ所定長さ延設された細長い作用部１０８Ｌ、１０８Ｕと、で構成されている。２本の作用部１０８Ｌ、１０８Ｕは互いに同形状であり、先端が内側（後方側）に向かって平面視略「く」字状に屈曲されて、それぞれリーダーピン３０の上端部３４Ｕ及び下端部３４Ｌに当接するようになっている。
【００３７】
つまり、板バネ１０４の作用部１０８Ｌ、１０８Ｕが、それぞれ、リーダーピン３０の下端部３４Ｌ及び上端部３４Ｕを所定の圧力で押圧する（押さえる）ことにより、リーダーピン３０がピン保持部３６から脱落しないように保持する構成になっている。すなわち、リーダーピン３０をピン保持部３６から引き出したりピン保持部３６に保持させたりするときには、作用部１０８Ｌ、１０８Ｕが適宜弾性変形してリーダーピン３０の移動を許容する構成になっている。
【００３８】
このような構造の板バネ１０４を製造する際、フープ材に加工を行った後に切断することにより連続して製造することが可能である。
【００３９】
下支持部材１１４は、作用部１０８Ｌの基端部（本体部の端側）及び本体部１０６の下部をインサート成形により覆って本体部１０６と一体的に固着された構成にされている。そして、下支持部材１１４はブロック状とされた剛性部材であり、下保持部３７Ｌに実質的に変形することなく保持される構造にされている。
【００４０】
下保持部３７Ｌには、下支持部材１１４が挿入される凹部３９Ｌが形成されている。凹部３９Ｌの中央には凸部４１Ｌが形成されており、下支持部材１１４の下面側には、凸部４１Ｌが差し込まれる穴部１１６Ｌ（図３、図４参照））が形成されている。
【００４１】
そして、下支持部材１１４が凹部３９Ｌに差し込まれ易いように、下支持部材１１４の下面側の両側縁部は、面取り形状とされた面取り部１１８Ｌにされている（例えば図４参照）。なお、図４〜図６に示すように、下支持部材１１４の上支持部材側の両側縁部１２０Ｌも同様に面取り形状とされていてもよい。
【００４２】
凸部４１Ｌも同様にテーパ面４１Ｓ（図５参照）が形成され、穴部１１６Ｌにもこのテーパ面４１Ｓに合わせたテーパ面が形成されている。後述の凸部４１Ｕや孔部１１６Ｕも同様である。
【００４３】
また、図５、図６に示すように、下保持部３７Ｌには、作用部１０８Ｌが配置される細長状の作用部用凹部４３Ｌと、作用部１０８Ｌの曲げ中心部としての役割を果たす支柱部４５Ｌと、が形成されている。リーダーピン３０がピン保持部３６に出入する際には、作用部１０８Ｌは支柱部４５Ｌを支点として適宜弾性変形してリーダーピン３０の移動を許容する構成にされている。
なお、作用部１０８Ｌの支点となる支柱部４５Ｌを無くして、作用部１０８Ｌと下支持部材１１４との取り付け基部が支点となる構成にしてもよい。これにより、作用部１０８Ｌの支点位置が、下ケース１６へのバネユニット３８の取り付け精度に左右されないので、より安定したバネ力を得ることができる。
【００４４】
上支持部材１１２及び上保持部３７Ｕも、それぞれ、下支持部材１１４及び下保持部３７Ｌと同様の構成である。
【００４５】
（作用、効果）
以上のような構成の記録テープカートリッジ１０において、次にその作用、効果について説明する。不使用時（保管時や運搬時等）において、記録テープカートリッジ１０の開口１８は、ドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００４６】
一方、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００４７】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００４８】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００４９】
そして、駆動ギアとリールギア４４とが完全に噛合した状態で、リールプレート４６が、駆動ギアの内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００５０】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００５１】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５２】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフトがギア開口４０から抜き出され、リールギア４４に対する駆動ギアの噛合が解除される。
【００５３】
すると、圧縮コイルスプリング９８の付勢力により、制動部材８０及び解除部材９０が下方に向かって押圧され、脚部９４が貫通孔２８Ａに挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００５４】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００５５】
このような記録テープカートリッジ１０を組み立てる際にバネユニット３８を下保持部３７Ｌ、及び、上保持部３７Ｕに保持させるには、下保持部３７Ｌにまでバネユニット３８を運搬し、下支持部材１１４の穴部１１６Ｌに下保持部３７Ｌの凸部４１Ｌを挿入させて凹部３９Ｌに下支持部材１１４を入れ込む。更に、他の構成部材を組み込んだ後、上ケース１４を被せる際に、上支持部材１１２の穴部１１６Ｕ（図２、図４〜図６参照）に上保持部３７Ｕの凸部４１Ｕを挿入させて凹部３９Ｕに上支持部材１１２を入れ込む。
【００５６】
ここで、下支持部材１１４はブロック状とされた剛性部材であり、下保持部３７Ｌに変形することなく保持される。そして、上支持部材１１２もブロック状とされた剛性部材であり、上保持部３７Ｕに変形することなく保持される。
【００５７】
従って、上ケース１４や下ケース１６に微小な変形が生じていても、上支持部材１１２や下支持部材１１４の変形が抑えられており、ケース１２に対する上支持部材１１２や下支持部材１１４の姿勢が一定である。これにより、上支持部材１１２によって基端部が覆われている作用部１０８Ｕや、下支持部材１１４によって基端部が覆われている作用部１０８Ｌもケース１２に対して姿勢が一定である。従って、バネユニット３８が構成要素として板バネ１０４を有していても、ケース１２への装着によるバネユニット３８の変形が防止され、バネ圧を安定させ易い。すなわち、上支持部材１１２や下支持部材１１４が設けられていない板バネ単体をケースに装着させる場合に比べ、バネユニット３８の位置決め精度が向上し、装着時のハンドリングによる位置不良が生じることがない。
【００５８】
また、上支持部材１１２及び下支持部材１１４が板バネ１０４にインサート成形されている。その上、上支持部材１１２は作用部１０８Ｕの基端部を覆うとともに本体部１０６の上部を覆い、下支持部材１１４は作用部１０８Ｌの基端部を覆うとともに本体部１０６の下部を覆っている。これにより、上支持部材１１２や下支持部材１１４と板バネ１０４とが外れない構成になっている。
【００５９】
また、下支持部材１１４の下面側の両側縁部が面取り部１１８Ｌとされ、上支持部材１１２の上面側の両側縁部も面取り形部とされている。これにより、バネユニット３８をケース１２に組み込む際、これらの面取り部によって、下支持部材１１４が下保持部３７Ｌの凹部３９Ｌに案内され、上支持部材１１２も上保持部３７Ｕの凹部３９Ｌに案内される。従って、バネユニット３８のケース１２への組み込みが容易になる。
【００６０】
更に、下支持部材１１４の高さを安定させてリーダーピン３０との接触高さを調整するに際し、下保持部材３９Ｌ及びテーパ面４１Ｓと接触する穴部１１６Ｌの周囲の厚みを調整して上記接触高さを適宜調整することが可能である。
【００６１】
なお、本実施形態では、板バネ１０４の本体部１０６の上下両端部にそれぞれ上支持部材１１２と下支持部材１１４を設けた形態で説明したが、何れか片方のみを設けても、本発明による効果を奏することが認められる。
【００６２】
［第２実施形態］
次に、第２実施形態について説明する。図７に示すように、本実施形態のバネユニット１３８には、上支持部材１１２に代えて上支持部材１３２が設けられ、下支持部材１１４に代えて下支持部材１３４が設けられている。上支持部材１３２は作用部１０８Ｕの基端部を覆っておらず、その分だけ上支持部材１３２に比べて体積が小さい。また、下支持部材１３４は作用部１０８Ｌの基端部を覆っておらず、その分だけ下支持部材１３４に比べて体積が小さい。
【００６３】
更に、本実施形態では、板バネ１０４に代えて板バネ１３５が設けられている。図８に示すように、板バネ１３５の本体部１３６の上部には開口１３９が形成されている。開口１３９には上支持部材１３２を構成する樹脂が入り込んでいる。従って、上支持部材１３２が作用部１０８Ｕの基端部を覆っていなくても、開口１３９に入り込んだ樹脂により、上支持部材１３２が板バネ１３５から外れることはない。同様に、本体部１３６の下部には開口が形成され、この開口には下支持部材１３４を構成する樹脂が入り込んでいる。従って、下支持部材１３４が作用部１０８Ｌの基端部を覆っていなくても、下支持部材１３４が板バネ１３５から外れることはない。
【００６４】
このように、本実施形態では、第１実施形態に比べて体積が小さい上支持部材１３２及び下支持部材１３４を用いても、上支持部材１３２や下支持部材１３４が板バネ１３５から外れることがない。
【００６５】
［第３実施形態］
次に、第３実施形態について説明する。図９に示すように、本実施形態のバネユニット１４８は、第１実施形態に比べ、上支持部材１１２及び下支持部材１１４に代えて、板バネ１０４の本体部１０６（図４参照）を全て覆う本体全覆型支持部材１４０を備えている。
【００６６】
これにより、第１実施形態と同様の効果を奏することができる。なお、本実施形態では、本体全覆型支持部材１４０により本体部１０６が変形することが防止されているので、板バネ１０４の本体部１０６の幅や厚みを小さくすること、更には本体部１０６を設けずに作用部１０８Ｕ、１０８Ｌのみで板バネを構成させること、が可能である。
【００６７】
以上、実施形態を挙げて本発明の実施の形態を説明したが、これらの実施形態は一例であり、要旨を逸脱しない範囲内で種々変更して実施できる。例えば、板バネが上支持部材や下支持部材に圧入されて相互に固定されている形態としてもよい。また、本発明の権利範囲がこれらの実施形態に限定されないことは言うまでもない。
【図面の簡単な説明】
【００６８】
【図１】第１実施形態に係る記録テープカートリッジの概略斜視図
【図２】第１実施形態に係る記録テープカートリッジを上方から見た場合の概略分解斜視図
【図３】第１実施形態に係る記録テープカートリッジを下方から見た場合の概略分解斜視図
【図４】第１実施形態に係る記録テープカートリッジを構成するバネユニットの概略斜視図
【図５】第１実施形態で、バネユニットを下ケースの保持部に保持させることを示す概略斜視図
【図６】第１実施形態で、バネユニットを下ケースの保持部に保持させたことを示す概略斜視図
【図７】第２実施形態に係る記録テープカートリッジを構成するバネユニットの概略斜視図
【図８】第２実施形態に係る記録テープカートリッジを構成するバネユニットに開口が形成されていることを示す概略斜視図
【図９】第３実施形態に係る記録テープカートリッジを構成するバネユニットの概略斜視図
【符号の説明】
【００６９】
１０    記録テープカートリッジ
１２    ケース
２０    リール
３０    リーダーピン（リーダー部材）
３７Ｌ  下保持部（保持部）
３７Ｕ  上保持部（保持部）
３８    バネユニット（バネ手段）
１０４  板バネ
１１２  上支持部材（支持部材）
１１４  下支持部材（支持部材）
１３２  上支持部材
１３４  下支持部材
１３５  板バネ
１３８  バネユニット（バネ手段）
１４０  本体全覆型支持部材
１４８  バネユニット（バネ手段）
Ｔ      記録テープ
【図１】
2009245526.tif 000003
【図２】
2009245526.tif 000004
【図３】
2009245526.tif 000005
【図４】
2009245526.tif 000006
【図５】
2009245526.tif 000007
【図６】
2009245526.tif 000008
【図７】
2009245526.tif 000009
【図８】
2009245526.tif 000010
【図９】
2009245526.tif 000011